(57)【特許請求の範囲】
【請求項１】
方形の太陽電池モジュール本体（Ｍ）と、このモジュール本体（Ｍ）の各側縁に左右側枠（１９）、（１９）と下側枠（１０）と上側枠（１１）がそれぞれ嵌合されて構成された複数の太陽電池モジュール（１）を備え、
これら複数の太陽電池モジュール（１）を、上下に隣接する上側枠（１１）と下側枠（１０）とが接触する状態に斜面上下方向に並べて架台（９）上に設置させた太陽電池モジュール（１）の取付け構造であって、
前記太陽電池モジュール（１）を構成する下側枠（１０）の下端に下側下向きフランジ（１０ａ）が突設されると共に、上側枠（１１）の下端に上側下向きフランジ（１１ａ）が突設され、
前記架台（９）の上面に、最下段に設置させる太陽電池モジュール（１）の下側下向きフランジ（１０ａ）を係止するための下端部係止手段が設けられ、
かつ前記架台（９）の上面に、上側枠（１１）の下面と架台（９）の上面との間に形成した中間部差込間隙（３ａ）に前記下側下向きフランジ（１０ａ）を差込んだ状態で前記上側下向きフランジ（１１ａ）を係止めするための中間部係止手段が設けられ、
かつ前記架台（９）の上面に、最上段に設置させる太陽電池モジュール（１）の上側枠（１１）の外側面に当接させる上端部外止手段が設けられ、
かつ前記架台（９）の上面に、最上段に設置させる太陽電池モジュール（１）の上側下向きフランジ（１１ａ）を係止するための上端部内止手段が設けられていることを特徴とした太陽電池モジュールの取付け構造。
【請求項２】
請求項１記載の太陽電池モジュールの取付け構造において、
前記下端部係止手段が、その両側縁及び上縁が開放し下縁を残す状態に架台（９）の上壁を切り起こして架台（９）の上面との間に、前記下側下向きフランジ（１０ａ）を受入れるための下端部受入間隙（２ａ）を形成させた下端部係止片（２）で形成され、
前記中間部係止手段が、その両側縁及び上縁を開放し下縁を残す状態に架台（９）の上壁を切り起こして架台（９）の上面との間に、前記中間部差込間隙（３ａ）に上側枠（１１）と隣接する下側枠（１０）の下側下向きフランジ（１０ａ）を差込んだ状態で、前記上側下向きフランジ（１１ａ）を受入れるための中間部受入間隙（３ｂ）を形成させた中間部係止片（３）で形成され、
前記上端部外止手段が、架台（９）の上面に取付けられる取付け片（５ａ）と、最上段の上側枠（１１）の下面と架台（９）の上面との間に形成した上端部差込間隙（４ａ）に差し込まれる差込片（５ｂ）と、最上段の上側枠（１１）の外側面に当接させる当接片（５ｃ）を備えた上端部外止金具（５）で形成され、
前記上端部内止手段が、その両側縁及び上縁が開放し下縁を残す状態に架台（９）の上壁を切り起こして架台（９）の上面との間に、前記上端部差込間隙（４ａ）に上端部外止金具（５）の差込片（５ｂ）を差込んだ状態で、前記上側下向きフランジ（１１ａ）を受入れるための上端部受入間隙（６ａ）を形成させた上端部内止係止片（６）で形成されている太陽電池モジュールの取付け構造。
【請求項３】
請求項２記載の太陽電池モジュールの取付け構造において、
前記中間部係止片（３）の切り起こし部分に前記中間部差込間隙（３ａ）と同一高さで架台（９）の上壁を切り起こした突出片（３０）が形成されると共に、前記上端部内止係止片（６）の切り起こし部分に上端部差込間隙（４ａ）と同一高さで架台（９）の上壁を切り起こした突出片（６０）が形成されている太陽電池モジュールの取付け構造。
【請求項４】
請求項１記載の太陽電池モジュールの取付け構造において、
前記下端部係止手段が、架台（９）の上面に取付けられる取付け片（２２ａ）と、両側縁及び上縁が開放し下縁が前記取付け片（２２ａ）に段差を持って一体に連結されると共に、架台（９）の上面との間に、下側下向きフランジ（１０ａ）を受入れるための下端部受入間隙（２２ｃ）を形成させた係止片（２２ｂ）を備えた下端部係止金具（２２）で形成され、
前記中間部係止手段が、架台（９）の上面に取付けられる取付け片（２３ａ）と、前記中間部差込間隙（３ａ）と同一板厚で前記取付け片（２３ａ）の先端から架台（９）上面に沿って延長した受け板片（２３ｂ）と、両側縁及び上縁が開放し下縁が前記取付け片（２３ａ）に段差を持って一体に連結されると共に、受け板片（２３ｂ）との間に上側下向きフランジ（１０ａ）を挟持するための挟持間隙（２３ｃ）を形成させた係止片（２３ｄ）とを備えた中間部挟持金具（２３）で形成され、
前記上端部外止手段が、架台（９）の上面に取付けられる取付け片（５ａ）と、架台（９）の上面と最上段の上側枠（１１）の下面との間に形成した上端部差込間隙（４ａ）に差し込まれる差込片（５ｂ）と、最上段の上側枠（１１）の外側面に当接させる当接片（５ｃ）を備えた上端部外止金具（５）で形成され、
前記上端部内止手段が、架台（９）の上面に取付けられる取付け片（２４ａ）と、前記上端部差込間隙（４ａ）と同一板厚で前記取付け片（２４ａ）の先端から架台（９）上面に沿って延長した受け板片（２４ｂ）と、両側縁及び上縁が開放し下縁が前記取付け片（２４ａ）に段差を持って一体に連結されると共に、受け板片（２４ｂ）との間に上側下向きフランジ（１０ａ）を挟持するための挟持間隙（２４ｃ）を形成させた係止片（２４ｄ）とを備えた上端部内止挟持金具（２４）で形成された太陽電池モジュールの取付け構造。
【請求項５】
方形の太陽電池モジュール本体（Ｍ）と、このモジュール本体（Ｍ）の各側縁に左右側枠（１８）、（１８）と下側枠（１５）と上側枠（１６）がそれぞれ組み付けられて構成された複数の太陽電池モジュール（１）を備え、
これら複数の太陽電池モジュール（１）を上下に隣接する上側枠（１６）と下側枠（１５）とが接触する状態に斜面上下方向に並べて架台（９）上に設置させた太陽電池モジュール（１）の取付け構造であって、
前記太陽電池モジュール（１）は、太陽電池モジュール本体（Ｍ）に嵌合させる下側枠（１５）と上側枠（１６）が片面下端にフランジを突設させた同大同形の枠材を用い、その下側枠（１５）に突設させたフランジが下側上向きフランジ（１５ａ）になり、上側枠（１６）に突設させたフランジが上側下向きフランジ（１６ａ）になるように組み付けられて形成され、
前記下側上向きフランジ（１５ａ）には、その下側上向きフランジ（１５ａ）を挟持する上面挟持板（７０）と下面挟持板（７１）が取付けられ、
前記下面挟持板（７１）には前記下側枠（１５）の下面を超えて外部に延長した延長フランジ部（７１ａ）が形成され、
かつ架台（９）の上面との間に下端部受入間隙（２２ｃ）を保持するように形成した係止片（２２ｂ）が取付け片（２２ａ）に一体に形成され、前記下端部受入間隙（２２ｃ）に前記延長フランジ部（７１ａ）を受入れて係止する下端部係止金具（２２）が架台（９）の上面に取付けられ、
かつ挟持間隙（２３ｃ）を保持して対向する受け板片（２３ｂ）と係止片（２３ｄ）が取付け片（２３ａ）に一体に形成され、上側枠（１６）の下面と架台（９）の上面との間に形成した中間部差込間隙（３ａ）に前記延長フランジ部（７１ａ）を差し込んだ状態で前記挟持間隙（２３ｃ）に前記上側枠（１６）の上側下向きフランジ（１６ａ）を差込んで挟持する中間部挟持金具（２３）が架台（９）の上面に取付けられ、
かつ架台（９）の上面に取付けられる取付け片（５ａ）と、架台（９）の上面と最上段の上側枠（１６）の下面との間に形成した上端部差込間隙（４ａ）に差し込まれる差込片（５ｂ）と、最上段の上側枠（１６）の外側面に当接させる当接片（５ｃ）を備えた上端部外止金具（５）が架台（９）上面に取付けられ、
かつ挟持間隙（２４ｃ）を保持して対向する受け板片（２４ｂ）と係止片（２４ｄ）が取付け片（２４ａ）に一体に形成され、最上段の上側枠（１６）の下面と架台（９）の上面との間に形成した上端部差込間隙（４ａ）に前記差込片（５ｂ）を差し込んだ状態で前記挟持間隙（２４ｃ）に前記上側枠（１６）の上側下向きフランジ（１６ａ）を差込んで挟持する上端部内止挟持金具（２４）が架台（９）の上面に取付けられていることを特徴とした太陽電池モジュールの取付け構造。
【請求項６】
方形の太陽電池モジュール本体（Ｍ）と、このモジュール本体（Ｍ）の各側縁に左右側枠（１８）、（１８）と下側枠（１５）と上側枠（１６）がそれぞれ組み付けられて構成された複数の太陽電池モジュール（１）を備え、
これら複数の太陽電池モジュール（１）を上下に隣接する上側枠（１６）と下側枠（１５）とが接触する状態に斜面上下方向に並べて架台（９）上に設置させた太陽電池モジュール（１）の取付け構造であって、
前記太陽電池モジュール（１）は、太陽電池モジュール本体（Ｍ）に嵌合させる下側枠（１５）と上側枠（１６）が片面下端にフランジを突設させた同大同形の枠材を用い、その下側枠（１５）に突設させたフランジが下側上向きフランジ（１５ａ）になり、上側枠（１６）に突設させたフランジが上側下向きフランジ（１６ａ）になるように組み付けられて形成され、
前記下側上向きフランジ（１５ａ）には、その下側上向きフランジ（１５ａ）を挟持する上面挟持板（７０）と下面挟持板（７１）が取付けられ、
前記下面挟持板（７１）には前記下側枠（１５）の下面を超えて外部に延長した延長フランジ部（７１ａ）が形成され、
かつ架台（９）の上面との間に下端部受入間隙（２２ｃ）を保持するように形成した係止片（２２ｂ）が取付け片（２２ａ）に一体に形成され、前記下端部受入間隙（２２ｃ）に前記延長フランジ部（７１ａ）を受入れて係止する下端部係止金具（２２）が架台（９）の上面に取付けられ、
かつ挟持間隙（２３ｃ）を保持して対向する受け板片（２３ｂ）と係止片（２３ｄ）が取付け片（２３ａ）に一体に形成され、上側枠（１６）の下面と架台（９）の上面との間に形成した中間部差込間隙（３ａ）に前記延長フランジ部（７１ａ）を差し込んだ状態で前記挟持間隙（２３ｃ）に前記上側枠（１６）の上側下向きフランジ（１６ａ）を差込んで挟持する中間部挟持金具（２３）が架台（９）の上面に取付けられ、
最上段の上側枠（１６）の上側下向きフランジ（１６ａ）には、その上側下向きフランジ（１６ａ）を挟持する上面挟持板（７５）と下面挟持板（７６）が取付けられ、前記下面挟持板（７６）には前記最上段の上側枠（１６）の下面を超えて外部に延長した延長フランジ部（７６ａ）が形成され、
かつ架台（９）の上面との間に受入間隙（８ａ）を保持するように形成した係止片（８０）が取付け片（８１）に一体に形成され、前記受入間隙（８ａ）に前記延長フランジ部（７６ａ）を受入れて係止する上端部係止金具（８）が架台（９）の上面に取付けられていることを特徴とした太陽電池モジュールの取付け構造。
【発明の詳細な説明】
【技術分野】
【０００１】
本発明は、家屋の屋根、壁面、地上等に設置された架台に対して太陽電池モジュールを取付けるための取付け構造に関する。
【背景技術】
【０００２】
従来、太陽電池モジュールの取付け構造として種々の構造が提案されている（特許文献１、２、３、４参照）。
【０００３】
特許文献１では、太陽電池モジュールを載置させる架台レールに太陽電池モジュールを挟み込むための下部部品と上部部品を設け、太陽電池モジュールを前記下部部品と上部部品を介してボルト、ナットで挟持することにより架台レールに取付ける構造になっている。
【０００４】
特許文献２では、隣り合う２つの太陽電池モジュールの枠材を、取付架台によって同時に取付けるもので、枠材の取付け部が取付架台の取付け部に対してスライド可能な状態で嵌合させ、取付架台を垂木にビスで取付ける構造になっている。
【０００５】
特許文献３では、隣り合う２つの太陽電池モジュールの隣接する枠材の一方を架台に固定させ、その枠材に凹溝を設け、他方の枠材に太陽電池本体の外側に突出するように設けたフランジ状の係止部を前記凹溝内に嵌合させる構造になっている。
【０００６】
特許文献４では、太陽電池モジュール本体の四辺に取付けた枠材の内の一辺に太陽電池モジュールの外側に張り出す外顎を設け、これと平行な枠材に太陽電池モジュール本体の内側に張り出す内顎を設け、架台に並べて設置した太陽電池モジュールの重なりあった前記外顎と前記内顎をボルトによって架台に共締めさせる構造になっている。
【先行技術文献】
【特許文献】
【０００７】
【特許文献１】特開２０００−２２０２６８号公報
【特許文献２】特開２００３−３３６３５７号公報
【特許文献３】特開平９−１６７８５２号公報
【特許文献４】特開２００２−２９４９５６号公報
【発明の概要】
【発明が解決しようとする課題】
【０００８】
文献１及び文献２の取付け構造は、架台への取付け部が枠材と枠材の間にあり、その部分は発電に関与せず、太陽電池モジュールの設置に必要な面積に対する発電効率が低下する。
更に、枠材と枠材の間が開いてしまうので意匠性を良くするために取付架台等の上面を覆うカバー材等の部材が別途必要となる。
【０００９】
文献３及び文献４の取付け構造は、上記文献１及び文献２の問題を解決するものであるが、太陽電池モジュールを設置する度にネジ留めする必要があるので作業効率が悪い。
特に、文献４の取付け構造では、太陽電池モジュールの裏から手を入れての作業となり、更に作業性が悪い。
【００１０】
本発明は、上下に隣接する太陽電池モジュールの間の間隙をなくすことで太陽電池モジュールの設置面積に対する発電効率を向上させ、かつ発電に関わらない意匠用カバーを不要にさせる。
更に、太陽電池モジュールの架台に対する取付け作業が容易にできるようにした太陽電池モジュールの取付け構造を提供することを課題としている。
【課題を解決するための手段】
【００１１】
上記の課題を解決するために、本発明の太陽電池モジュールの取付け構造は以下のように構成した。
【００１２】
請求項１記載の太陽電池モジュールの取付け構造は、
方形の太陽電池モジュール本体（Ｍ）と、このモジュール本体（Ｍ）の各側縁に左右側枠（１９）、（１９）と下側枠（１０）と上側枠（１１）がそれぞれ嵌合されて構成された複数の太陽電池モジュール（１）を備え、
これら複数の太陽電池モジュール（１）を、上下に隣接する上側枠（１１）と下側枠（１０）とが接触する状態に斜面上下方向に並べて架台（９）上に設置させた太陽電池モジュール（１）の取付け構造であって、
前記太陽電池モジュール（１）を構成する下側枠（１０）の下端に下側下向きフランジ（１０ａ）が突設されると共に、上側枠（１１）の下端に上側下向きフランジ（１１ａ）が突設され、
前記架台（９）の上面に、最下段に設置させる太陽電池モジュール（１）の下側下向きフランジ（１０ａ）を係止するための下端部係止手段が設けられ、
かつ前記架台（９）の上面に、上側枠（１１）の下面と架台（９）の上面との間に形成した中間部差込間隙（３ａ）に前記下側下向きフランジ（１０ａ）を差込んだ状態で前記上側下向きフランジ（１１ａ）を係止めするための中間部係止手段が設けられ、
かつ前記架台（９）の上面に、最上段に設置させる太陽電池モジュール（１）の上側枠（１１）の外側面に当接させる上端部外止手段が設けられ、
かつ前記架台（９）の上面に、最上段に設置させる太陽電池モジュール（１）の上側下向きフランジ（１１ａ）を係止するための上端部内止手段が設けられている構成とした。
【００１３】
請求項２記載の太陽電池モジュールの取付け構造は、
請求項１記載の太陽電池モジュールの取付け構造において、
前記下端部係止手段が、その両側縁及び上縁が開放し下縁を残す状態に架台（９）の上壁を切り起こして架台（９）の上面との間に、前記下側下向きフランジ（１０ａ）を受入れるための下端部受入間隙（２ａ）を形成させた下端部係止片（２）で形成され、
前記中間部係止手段が、その両側縁及び上縁を開放し下縁を残す状態に架台（９）の上壁を切り起こして架台（９）の上面との間に、前記中間部差込間隙（３ａ）に上側枠（１１）と隣接する下側枠（１０）の下側下向きフランジ（１０ａ）を差込んだ状態で、前記上側下向きフランジ（１１ａ）を受入れるための中間部受入間隙（３ｂ）を形成させた中間部係止片（３）で形成され、
前記上端部外止手段が、架台（９）の上面に取付けられる取付け片（５ａ）と、最上段の上側枠（１１）の下面と架台（９）の上面との間に形成した上端部差込間隙（４ａ）に差し込まれる差込片（５ｂ）と、最上段の上側枠（１１）の外側面に当接させる当接片（５ｃ）を備えた上端部外止金具（５）で形成され、
前記上端部内止手段が、その両側縁及び上縁が開放し下縁を残す状態に架台（９）の上壁を切り起こして架台（９）の上面との間に、前記上端部差込間隙（４ａ）に上端部外止金具（５）の差込片（５ｂ）を差込んだ状態で、前記上側下向きフランジ（１１ａ）を受入れるための上端部受入間隙（６ａ）を形成させた上端部内止係止片（６）で形成されている構成とした。
【００１４】
請求項３記載の太陽電池モジュールの取付け構造は、
請求項２記載の太陽電池モジュールの取付け構造において、
前記中間部係止片（３）の切り起こし部分に前記中間部差込間隙（３ａ）と同一高さで架台（９）の上壁を切り起こした突出片（３０）が形成されると共に、前記上端部内止係止片（６）の切り起こし部分に上端部差込間隙（４ａ）と同一高さで架台（９）の上壁を切り起こした突出片（６０）が形成されている構成とした。
【００１５】
請求項４記載の太陽電池モジュールの取付け構造は、
請求項１記載の太陽電池モジュールの取付け構造において、
前記下端部係止手段が、架台（９）の上面に取付けられる取付け片（２２ａ）と、両側縁及び上縁が開放し下縁が前記取付け片（２２ａ）に段差を持って一体に連結されると共に、架台（９）の上面との間に、下側下向きフランジ（１０ａ）を受入れるための下端部受入間隙（２２ｃ）を形成させた係止片（２２ｂ）を備えた下端部係止金具（２２）で形成され、
前記中間部係止手段が、架台（９）の上面に取付けられる取付け片（２３ａ）と、前記中間部差込間隙（３ａ）と同一板厚で前記取付け片（２３ａ）の先端から架台（９）上面に沿って延長した受け板片（２３ｂ）と、両側縁及び上縁が開放し下縁が前記取付け片（２３ａ）に段差を持って一体に連結されると共に、受け板片（２３ｂ）との間に上側下向きフランジ（１０ａ）を挟持するための挟持間隙（２３ｃ）を形成させた係止片（２３ｄ）とを備えた中間部挟持金具（２３）で形成され、
前記上端部外止手段が、架台（９）の上面に取付けられる取付け片（５ａ）と、架台（９）の上面と最上段の上側枠（１１）の下面との間に形成した上端部差込間隙（４ａ）に差し込まれる差込片（５ｂ）と、最上段の上側枠（１１）の外側面に当接させる当接片（５ｃ）を備えた上端部外止金具（５）で形成され、
前記上端部内止手段が、架台（９）の上面に取付けられる取付け片（２４ａ）と、前記上端部差込間隙（４ａ）と同一板厚で前記取付け片（２４ａ）の先端から架台（９）上面に沿って延長した受け板片（２４ｂ）と、両側縁及び上縁が開放し下縁が前記取付け片（２４ａ）に段差を持って一体に連結されると共に、受け板片（２４ｂ）との間に上側下向きフランジ（１０ａ）を挟持するための挟持間隙（２４ｃ）を形成させた係止片（２４ｄ）とを備えた上端部内止挟持金具（２４）で形成された構成とした。
【００１６】
請求項５記載の太陽電池モジュールの取付け構造は、
方形の太陽電池モジュール本体（Ｍ）と、このモジュール本体（Ｍ）の各側縁に左右側枠（１８）、（１８）と下側枠（１５）と上側枠（１６）がそれぞれ組み付けられて構成された複数の太陽電池モジュール（１）を備え、
これら複数の太陽電池モジュール（１）を上下に隣接する上側枠（１６）と下側枠（１５）とが接触する状態に斜面上下方向に並べて架台（９）上に設置させた太陽電池モジュール（１）の取付け構造であって、
前記太陽電池モジュール（１）は、太陽電池モジュール本体（Ｍ）に嵌合させる下側枠（１５）と上側枠（１６）が片面下端にフランジを突設させた同大同形の枠材を用い、その下側枠（１５）に突設させたフランジが下側上向きフランジ（１５ａ）になり、上側枠（１６）に突設させたフランジが上側下向きフランジ（１６ａ）になるように組み付けられて形成され、
前記下側上向きフランジ（１５ａ）には、その下側上向きフランジ（１５ａ）を挟持する上面挟持板（７０）と下面挟持板（７１）が取付けられ、
前記下面挟持板（７１）には前記下側枠（１５）の下面を超えて外部に延長した延長フランジ部（７１ａ）が形成され、
かつ架台（９）の上面との間に下端部受入間隙（２２ｃ）を保持するように形成した係止片（２２ｂ）が取付け片（２２ａ）に一体に形成され、前記下端部受入間隙（２２ｃ）に前記延長フランジ部（７１ａ）を受入れて係止する下端部係止金具（２２）が架台（９）の上面に取付けられ、
かつ挟持間隙（２３ｃ）を保持して対向する受け板片（２３ｂ）と係止片（２３ｄ）が取付け片（２３ａ）に一体に形成され、上側枠（１６）の下面と架台（９）の上面との間に形成した中間部差込間隙（３ａ）に前記延長フランジ部（７１ａ）を差し込んだ状態で前記挟持間隙（２３ｃ）に前記上側枠（１６）の上側下向きフランジ（１６ａ）を差込んで挟持する中間部挟持金具（２３）が架台（９）の上面に取付けられ、
かつ架台（９）の上面に取付けられる取付け片（５ａ）と、架台（９）の上面と最上段の上側枠（１６）の下面との間に形成した上端部差込間隙（４ａ）に差し込まれる差込片（５ｂ）と、最上段の上側枠（１６）の外側面に当接させる当接片（５ｃ）を備えた上端部外止金具（５）が架台（９）上面に取付けられ、
かつ挟持間隙（２４ｃ）を保持して対向する受け板片（２４ｂ）と係止片（２４ｄ）が取付け片（２４ａ）に一体に形成され、最上段の上側枠（１６）の下面と架台（９）の上面との間に形成した上端部差込間隙（４ａ）に前記差込片（５ｂ）を差し込んだ状態で前記挟持間隙（２４ｃ）に前記上側枠（１６）の上側下向きフランジ（１６ａ）を差込んで挟持する上端部内止挟持金具（２４）が架台（９）の上面に取付けられている構成とした。
【００１７】
請求項６記載の太陽電池モジュールの取付け構造は、
方形の太陽電池モジュール本体（Ｍ）と、このモジュール本体（Ｍ）の各側縁に左右側枠（１８）、（１８）と下側枠（１５）と上側枠（１６）がそれぞれ組み付けられて構成された複数の太陽電池モジュール（１）を備え、
これら複数の太陽電池モジュール（１）を上下に隣接する上側枠（１６）と下側枠（１５）とが接触する状態に斜面上下方向に並べて架台（９）上に設置させた太陽電池モジュール（１）の取付け構造であって、
前記太陽電池モジュール（１）は、太陽電池モジュール本体（Ｍ）に嵌合させる下側枠（１５）と上側枠（１６）が片面下端にフランジを突設させた同大同形の枠材を用い、その下側枠（１５）に突設させたフランジが下側上向きフランジ（１５ａ）になり、上側枠（１６）に突設させたフランジが上側下向きフランジ（１６ａ）になるように組み付けられて形成され、
前記下側上向きフランジ（１５ａ）には、その下側上向きフランジ（１５ａ）を挟持する上面挟持板（７０）と下面挟持板（７１）が取付けられ、
前記下面挟持板（７１）には前記下側枠（１５）の下面を超えて外部に延長した延長フランジ部（７１ａ）が形成され、
かつ架台（９）の上面との間に下端部受入間隙（２２ｃ）を保持するように形成した係止片（２２ｂ）が取付け片（２２ａ）に一体に形成され、前記下端部受入間隙（２２ｃ）に前記延長フランジ部（７１ａ）を受入れて係止する下端部係止金具（２２）が架台（９）の上面に取付けられ、
かつ挟持間隙（２３ｃ）を保持して対向する受け板片（２３ｂ）と係止片（２３ｄ）が取付け片（２３ａ）に一体に形成され、上側枠（１６）の下面と架台（９）の上面との間に形成した中間部差込間隙（３ａ）に前記延長フランジ部（７１ａ）を差し込んだ状態で前記挟持間隙（２３ｃ）に前記上側枠（１６）の上側下向きフランジ（１６ａ）を差込んで挟持する中間部挟持金具（２３）が架台（９）の上面に取付けられ、
最上段の上側枠（１６）の上側下向きフランジ（１６ａ）には、その上側下向きフランジ（１６ａ）を挟持する上面挟持板（７５）と下面挟持板（７６）が取付けられ、前記下面挟持板（７６）には前記最上段の上側枠（１６）の下面を超えて外部に延長した延長フランジ部（７６ａ）が形成され、
かつ架台（９）の上面との間に受入間隙（８ａ）を保持するように形成した係止片（８０）が取付け片（８１）に一体に形成され、前記受入間隙（８ａ）に前記延長フランジ部（７６ａ）を受入れて係止する上端部係止金具（８）が架台（９）の上面に取付けられている構成とした。
【発明の効果】
【００１８】
本発明の取付け構造は、各太陽電池モジュールの上側枠と下側枠とが接触状態で設置されるため隣接する太陽電池モジュールの間に間隙がない。
このため、太陽電池モジュールの設置面積に対する発電効率を向上できるし、また、発電に関わらない意匠用カバーも不要であり、コストの軽減、作業の簡略化ができる。
又、設置作業として、各太陽電池モジュールを架台上面でスライドさせてフランジを嵌め込むといった作業を採用できるため作業能率を向上できる。
【００１９】
本発明（請求項３）の取付け構造は、突出片によって下段上側枠及び中段上側枠を下から支えることができる。
これにより、中間部差込間隙及び上端部差込間隙を維持し保持させることができる。
従って、上側下向きフランジを中間部差込間隙、上端部差込間隙に容易に差し込むことができ、作業能率を向上できる。
【００２０】
本発明（請求項４）の取付け構造は、下端部係止金具、中間部挟持金具、上端部外止金具、上端部内止挟持金具を用いることで、架台に切り起こしによる突起物をなくすことができる。
これにより、架台の搬送性を向上させることができるし、また、架台の軽量化のために板厚を薄くする場合に、金具の板厚を確保することで太陽電池モジュールの保持に必要な強度を持たせることができる。
【００２１】
本発明（請求項５）の取付け構造は、太陽電池モジュールの下側枠に下側上向きフランジを設け、上側枠に上側下向きフランジを設けて、下側上向きフランジと上側下向きフランジの両方が共に太陽電池モジュールの内側に突出するようにしたので、フランジが外向きに突出することがなく、損傷等を防止できる。
又、全ての太陽電池モジュール１が同一形状になるため、施工に際し、どの太陽電池モジュール１をどの場所にでも使用することができるし、太陽電池モジュールの生産性を向上させることができる。
【００２２】
又、太陽電池モジュールの上下の向きに制約がなくなるため、太陽電池モジュール本体の下面の端子ボックスを片側に揃えて配置させるような場合に、その配置に合わせて太陽電池モジュールの上下の向きを自在に選択でき、作業能率を向上できる。
【００２３】
又、フランジに取り付ける上面挟持板と下面挟持板を設け、その下面挟持板に延長フランジ部を形成させたので、この延長フランジ部を利用して係止させることができる。
これにより、設置作業に際し、各太陽電池モジュールを架台上面でスライドさせて延長フランジ部を嵌め込むといった作業を採用できるため作業能率を向上できる。
【００２４】
本発明（請求項６）の取付け構造は、最上段の上側枠を上端部係止金具によって架台に取り付けたので、太陽電池モジュールの傾斜上向きへのズレ動き、及び浮き上がりをこの上端部係止金具だけで防止することができる。
【図面の簡単な説明】
【００２５】
【図１】本発明の請求項１、２に対応した実施例１の取付け構造の平面図。
【図２】図１のＡ−Ａ断面図で、実施例１の取付け構造の全体断面図。
【図３】実施例１の取付け構造における下端部係止片を示す断面図。
【図４】実施例１の取付け構造における中間部係止片を示す断面図。
【図５】実施例１の取付け構造における上端部外止金具及び上端部内止係止片を示す断面図。
【図６】太陽電池モジュールの平面図。
【図７】図６のＢ−Ｂ断面図で、太陽電池モジュールの断面図。
【図８】実施例１の取付け構造における架台の平面図。
【図９】その架台の側面図。
【図１０】実施例１の取付け構造における上端部外止金具の平面図。
【図１１】その上端部外止金具の側面図。
【図１２】本発明の請求項３に対応した実施例２の取付け構造の全体断面図。
【図１３】実施例２の取付け構造に使用する架台の平面図。
【図１４】その架台の側面図。
【図１５】実施例２の取付け構造の要部を示す拡大断面図。
【図１６】図１４のＣ−Ｃ断面図で、実施例２の取付け構造に使用する架台の断面図。
【図１７】本発明の請求項４に対応した実施例３の取付け構造の全体断面図。
【図１８】実施例３の取付け構造における下端部係止金具を示す断面図。
【図１９】実施例３の取付け構造における中間部挟持金具を示す断面図。
【図２０】実施例３の取付け構造における上端部外止金具及び上端部内止挟持金具を示す断面図。
【図２１】実施例３の取付け構造における架台の平面図。
【図２２】その架台の側面図。
【図２３】実施例３の取付け構造における下端部係止金具の平面図。
【図２４】その下端部係止金具の側面図。
【図２５】実施例３の取付け構造における中間部挟持金具の平面図。
【図２６】その中間部挟持金具の側面図。
【図２７】本発明の請求項５に対応した実施例４の取付け構造の全体断面図。
【図２８】実施例４で使用する太陽電池モジュールの平面図。
【図２９】図２８のＤ−Ｄ断面図で、太陽電池モジュールの断面図。
【図３０】下側上向きフランジに上面挟持板と下面挟持板を取り付けた状態の太陽電池モジュールの平面図。
【図３１】図３０のＥ−Ｅ断面図で、下側上向きフランジに上面挟持板と下面挟持板を取り付けた状態の太陽電池モジュールの断面図。
【図３２】実施例４の取付け構造の要部を示す拡大断面図。
【図３３】実施例４の取付け構造に使用する上面挟持板の平面図。
【図３４】その上面挟持板の側面図。
【図３５】実施例４の取付け構造に使用する下面挟持板の平面図。
【図３６】その下面挟持板の側面図。
【図３７】本発明の請求項６に対応した実施例５の取付け構造の全体断面図。
【図３８】実施例５における最上段の太陽電池モジュールの平面図。
【図３９】図３８のＦ−Ｆ断面図で、最上段の太陽電池モジュールの断面図。
【図４０】実施例５の取付け構造における架台の平面図。
【図４１】その架台の側面図。
【図４２】実施例５における上端部係止金具を示す断面図。
【図４３】実施例５の取付け構造に使用する上端部係止金具の平面図。
【図４４】その上端部係止金具の側面図。
【発明を実施するための形態】
【００２６】
本発明の太陽電池モジュールの取付け構造は、複数個（２個以上）の太陽電池モジュールを斜面上下方向に並べる構造に適用するもので、以下の各実施例では３個の太陽電池モジュールを斜面上下方向に並べた例で説明する。
尚、前記したように、太陽電池モジュールは斜面上下方向に並べて設置するものであるが、本明細書に添付した図面では、太陽電池モジュールを水平に並べた状態に図示しており、実際には、図の右側から左側に向けて下り傾斜させた図になる。
【実施例１】
【００２７】
請求項１、２に対応した実施例１の太陽電池モジュールの取付け構造を図１〜図１１により説明する。
【００２８】
この取付け構造は、方形（実施例では長方形）の太陽電池モジュール本体Ｍ（以下、「モジュール本体」という）の各側縁に左右側枠１９、１９と下側枠１０と上側枠１１とがそれぞれ嵌合されて構成された３個の太陽電池モジュール１、１、１を備えている。
【００２９】
これらの太陽電池モジュール１は、図１、図２に示すように、上下に隣接する上側枠１１と下側枠１０とが接触する状態で斜面上下方向に並べて架台９上に設置される。
尚、図面では斜面上下方向に並べて設置する太陽電池モジュール１を水平方向に並べて設置した図で表している。
【００３０】
前記架台９は断面コ字状のチャンネル型材を用い、２本１対で屋根の傾斜に沿って取付けられ、上面には屋根面に固定する支持部を取付けるための複数の長穴９０が開けられている。
【００３１】
図６、図７に示すように、前記太陽電池モジュール１の下側枠１０には下側下向きフランジ１０ａが突設され、又、上側枠１１には上側下向きフランジ１１ａが突設されている。
【００３２】
前記架台９の上面に、最下段の太陽電池モジュール１の下側枠１０の下側下向きフランジ１０ａを係止するための下端部係止手段と、最下段及び中段の太陽電池モジュール１の上側枠１１の上側下向きフランジ１１ａを係止するための中間部係止手段と、最上段の太陽電池モジュール１の上側枠１１の外側面を押える上端部外止手段と、最上段の太陽電池モジュール１の上側枠１１の上側下向きフランジ１１ａを係止するための上端部内止手段が設けられている。
【００３３】
前記下端部係止手段は、図３、図８、図９で示すように、その両側縁及び上縁が開放し下縁を残す状態に架台９の上壁を切り起こして架台９の上面との間に下端部受入間隙２ａを形成させた下端部係止片２で形成されている。
【００３４】
前記中間部係止手段は、図４、図８、図９で示すように、両側縁及び上縁を開放し下縁を残す状態に架台９の上壁を切り起こした中間部係止片３で形成されている。
そして、上側枠１１の下面と架台９の上面との間に形成した中間部差込間隙３ａに下側枠１０の下側下向きフランジ１０ａを差込んだ状態で、架台９の上面との間に上側下向きフランジ１１ａを受入れるための中間部受入間隙３ｂが形成されている。
【００３５】
前記上端部外止手段は、図５、図１０、図１１で示すように、架台９上面にボルト９１とナット９２で取付けられる取付け片５ａと、最上段の上側枠１１の下面と架台９の上面との間に形成した上端部差込間隙４ａに差し込まれる差込片５ｂと、最上段の上側枠１１の外側面に当接させる当接片５ｃを備えた上端部外止金具５で形成されている。
【００３６】
前記上端部内止手段は、図５、図１０、図１１で示すように、その両側縁及び上縁が開放し下縁を残す状態に架台９の上壁を切り起こした上端部内止係止片６で形成されている。
そして、前記上端部差込間隙４ａに上端部外止金具５の差込片５ｂを差込んだ状態で、最上段の上側下向きフランジ１１ａを受入れるための上端部受入間隙６ａが架台９の上面との間に形成されている。
【００３７】
実施例１の取付け構造では、最下段の太陽電池モジュール１は、これを架台９の上面で傾斜下向きにスライドさせ、下側下向きフランジ１０ａを下端部係止片２によって係止させ、かつ上側下向きフランジ１１ａを中間部係止片３で係止させることで取付けられる。
【００３８】
中段の太陽電池モジュール１は、これを架台９の上面で傾斜下向きにスライドさせ、下側枠１０を最下段の太陽電池モジュール１の上側枠１１に接触させる状態で、下側下向きフランジ１０ａを中間部差込間隙３ａに差し込んで係止させ、かつ上側下向きフランジ１１ａを中間部係止片３で係止させることで取付けられる。
尚、中段の太陽電池モジュール１が複数の場合も同様にして取付けられる。
【００３９】
最上段の太陽電池モジュール１は、これを架台９の上面で傾斜下向きにスライドさせ、下側枠１０を中段の太陽電池モジュール１の上側枠１１に接触させる状態で、下側下向きフランジ１０ａを中間部差込間隙３ａに差し込んで係止させ、かつ上側下向きフランジ１１ａを上端部内止係止片６で係止させることで取付けられる。
【００４０】
又、最上段の太陽電池モジュール１の上側枠１１を上端部外止金具５で押えて固定させるもので、この場合、当接片５ｃを上側枠１１の外側面に当接させると共に、差込片５ｂを上端部差込間隙４ａに差し込んだ状態にして取付け片５ａを架台９上面にボルト９１とナット９２で取付けるものである。
【００４１】
このように、実施例１の取付け構造では、各太陽電池モジュール１の上側枠１１と下側枠１０とが接触状態で設置されるため隣接する太陽電池モジュール１、１の間に間隙がない。
このため、太陽電池モジュール１の設置面積に対する発電効率を向上できるし、また、発電に係わらない意匠性向上用のカバーも不要であり、コストの軽減、作業の簡略化ができる。
又、設置作業として、各太陽電池モジュール１を架台９の上面で傾斜下向きにスライドさせてフランジを嵌め込むといった作業を採用できるため作業能率を向上できるし、上端部外止金具５によって太陽電池モジュール１の傾斜上向きへのズレ動きを防止できるため、太陽電池モジュール１を確実に取付けることができる。
【実施例２】
【００４２】
請求項３に対応した実施例２の太陽電池モジュールの取付け構造を図１２〜図１６により説明する。
【００４３】
この取付け構造は、前記実施例１の取付け構造において、図１５、図１６に示すように、中間部係止片３及び上端部内止係止片６の切り起し部分に中間部差込間隙３ａ、上端部差込間隙４ａと同一高さで架台９の上壁を切り起した突出片３０、６０が形成されている。
その他の構成は、前記実施例１と同様である。
【００４４】
この突出片３０、６０によって最下段、中段、最上段の各太陽電池モジュール１の上側枠１１を下から支えることができるため、中間部差込間隙３ａ及び上端部差込間隙４ａを維持し保持させることができる。
従って、最下段、中段の両太陽電池モジュール１の上側下向きフランジ１１ａを容易に中間部差込間隙３ａに差し込むことができ、かつ最上段の太陽電池モジュール１の上側下向きフランジ１１ａを容易に上端部差込間隙４ａに差し込むことができ、作業能率を向上できる。
【実施例３】
【００４５】
請求項４に対応した実施例３の太陽電池モジュールの取付け構造を図１７〜図２６により説明する。
【００４６】
この取付け構造は、実施例１で採用した切り起こしによる下端部係止片２の代りに下端部係止金具２２を用い、中間部係止片３の代りに中間部挟持金具２３を用い、上端部内止係止片６の代りに上端部内止挟持金具２４を用いた例である。
その他の構成は、前記実施例１と同様である。
【００４７】
前記下端部係止金具２２は、図１８、図２３、図２４で示すように、架台９の上面にボルト９３とナット９４で取付けられる取付け片２２ａと、両側縁及び上縁が開放し下縁が前記取付け片２２ａに段差を持って一体に連結されると共に架台９上面との間に下端部受入間隙２２ｃを形成させた係止片２２ｂとを備えている。
【００４８】
前記中間部挟持金具２３は、図１９、図２５、図２６で示すように、架台９の上面にボルト９５とナット９６で取付けられる取付け片２３ａと、前記中間部差込間隙３ａと同一板厚で前記取付け片２３ａの先端から架台９の上面に沿って延長した受け板片２３ｂと、両側縁及び上縁が開放し下縁が前記取付け片２３ａに段差を持って一体に連結されると共に受け板片２３ｂとの間に挟持間隙２３ｃを形成させた係止片２３ｄとを備えている。
【００４９】
又、上端部内止挟持金具２４は、前記中間部挟持金具２３と同様の構造であり、図２１、図２２で示すように、取付け片２４ａと、受け板片２４ｂと、挟持間隙２４ｃと、係止片２４ｄを備えている。
尚、前記受け板片２３ｂ、２４ｂは、実施例２で採用した突出片３０、６０の代わりとして機能する。
【００５０】
実施例３の取付け構造では、最下段の太陽電池モジュール１の下側下向きフランジ１０ａを下端部係止金具２２によって係止させ、最下段、中段の太陽電池モジュール１の上側下向きフランジ１１ａを中間部挟持金具２３で係止させ、最上段の太陽電池モジュール１の上側下向きフランジ１１ａを上端部内止挟持金具２４によって係止させることができる。
このとき、受け板片２３ｂ、２４ｂによって最下段、中段、最上段の各太陽電池モジュール１の上側枠１１を下から支えることができるため、中間部差込間隙３ａ及び上端部差込間隙４ａを維持し保持させることができる。
【００５１】
このように、下端部係止金具２２、中間部挟持金具２３、上端部内止挟持金具２４を用いることで、架台９には切り起こしによる突起物がなくなるため、架台９の搬送性を向上させることができるし、また、架台９の軽量化のために板厚を薄くする場合に、金具の板厚を確保することで太陽電池モジュールの保持に必要な強度を持たせることができる。
【実施例４】
【００５２】
請求項５に対応した実施例４の太陽電池モジュールの取付け構造を図２７〜図３６により説明する。
【００５３】
この取付け構造における太陽電池モジュール１は、太陽電池モジュール本体Ｍに嵌合させる下側枠１５及び上側枠１６が片面下端にフランジが突設された同大同形の枠材を用いて形成され、その下側枠１５に突設させたフランジが下側上向きフランジ１５ａになり、上側枠１６に突設させたフランジが上側下向きフランジ１６ａになるように組み付けられている。
尚、図において、符号１８は側部枠である。又、Ｔは端子ボックスで、太陽電池モジュール本体Ｍの下面の片側に寄った位置に取り付けられている。
【００５４】
そして、最下段、中段、最上段の下側枠１５に形成された下側上向きフランジ１５ａに、これらの下側上向きフランジ１５ａを挟持する上面挟持板７０と下面挟持板７１が取付けられている。
この上面挟持板７０には図３３、図３４に示すように嵌合凹部７０ａが形成され、又、下面挟持板７１には図３５、図３６に示すように嵌合凸部７１ｂが形成され、そして、図３２に示すように、前記嵌合凹部７０ａ内に嵌合凸部７１ｂを嵌め込んでボルト９７とナット９８で締め付けること下側上向きフランジ１５ａに取り付けるようになっている。
【００５５】
前記下面挟持板７１には下側枠１５の下端面を超えて外部に延長した延長フランジ部７１ａが形成されている。
【００５６】
又、前記第３実施例で示した下端部係止金具２２、中間部挟持金具２３、上端部内止挟持金具２４が架台９の上面に取付けられている。
【００５７】
実施例４の取付け構造では、最下段の太陽電池モジュール１は、これを架台９の上面で傾斜下向きにスライドさせ、下面挟持板７１の延長フランジ部７１ａを下端部係止金具２２によって係止させ、かつ上側下向きフランジ１６aを中間部挟持金具２３で係止させることによって取付けられる。
【００５８】
中段の太陽電池モジュール１は、これを架台９の上面で傾斜下向きにスライドさせ、上側枠１６に下側枠１５を接触させる状態で下面挟持板７１の延長フランジ部７１ａを中間部差込間隙３ａに差し込むと共に、上側下向きフランジ１６aを中間部挟持金具２３で係止させることによって取付けられる。
【００５９】
最上段の太陽電池モジュール１は、これを架台９の上面で傾斜下向きにスライドさせ、上側枠１６に下側枠１５を接触させる状態で下面挟持板７１の延長フランジ部７１ａを中間部差込間隙３ａに差し込み、かつ上側枠１６については、前記実施例３と同様に、上端部内止挟持金具２４及び上端部外止金具５によって取り付けるものである。
【００６０】
このように、実施例４の取付け構造では、下側枠１５と上側枠１６が片面下端にフランジを突設させた同大同形の枠材を用い、その下側枠１５に突設させたフランジが下側上向きフランジ１５ａになり、上側枠１６に突設させたフランジが上側下向きフランジ１６ａになるように組み付けられて形成されているため、全ての太陽電池モジュール１が同一形状になる。
従って、施工に際し、どの太陽電池モジュール１をどの場所にでも使用することができるし、太陽電池モジュールの生産性を向上させることができる。
【００６１】
又、端子ボックスＴは配線等の都合で太陽電池モジュール１の片側に寄った位置に揃えて配置させることが要求されるが、太陽電池モジュール１の上下の向きに制約がなくなるため、このような端子ボックスＴの配置に容易に対応できる。
【００６２】
又、下側枠１５の下側上向きフランジ１５ａに上面挟持板７０と下面挟持板７１を取り付けて延長フランジ部７１ａを形成させたので、この延長フランジ部７１ａを利用して係止させることができる。
従って、設置作業に際し、各太陽電池モジュール１を架台９の上面でスライドさせて延長フランジ部７１ａを嵌め込むといった作業を採用できるため作業能率を向上できる。
【実施例５】
【００６３】
請求項６に対応した実施例５の太陽電池モジュールの取付け構造を図３７〜図４４により説明する。
【００６４】
この取付け構造は、最上段の太陽電池モジュール１の上側枠１６の取り付け構造が、前記実施例４における最上段の太陽電池モジュール１の上側枠１６の取り付け構造と異なるもので、その他の構成は実施例４と同様である。
【００６５】
この実施例５では、図３９、図４２で示すように、最上段の太陽電池モジュール１の上側枠１６の上側下向きフランジ１６ａに実施例４で使用した上面挟持板７０と同構造の上面挟持板７５と、下面挟持板７１と同構造の下面挟持板７６が用いられ、前記下面挟持板７６には上側枠１６の下面を超えて外部に延長した延長フランジ部７６ａが形成されている。
【００６６】
この上面挟持板７５と下面挟持板７６はボルト９９とナット１００で締め付けることで上側下向きフランジ１６ａに取り付けられている。
【００６７】
又、架台９の上面には上端部係止金具８がボルト１０１とナット１０２で取り付けられている。
この上端部係止金具８は、図４２、図４３、図４４で示すように、架台９の上面との間に受入間隙８ａを保持するように形成した係止片８０が取付け片８１に一体に形成されたもので、前記受入間隙８ａに前記延長フランジ部７６ａを受入れて係止するようになっている。
【００６８】
このように、上端部係止金具８を使用して最上段の太陽電池モジュール１の上側枠１６を固定するため、太陽電池モジュール１の傾斜上向きへのズレ動き、及び浮き上がりを上端部係止金具８だけで防止することができる。
【符号の説明】
【００６９】
Ｍ  太陽電池モジュール本体
１  太陽電池モジュール
１０  下側枠
１０ａ  下側下向きフランジ
１１  上側枠
１１ａ  上側下向きフランジ
１５  下側枠
１５ａ  下側上向きフランジ
１６  上側枠
１６ａ  上側下向きフランジ
１８  左右側枠
１９  左右側枠
２  下端部係止片（下端部係止手段）
２ａ  下端部受入間隙
２２  下端部係止金具（下端部係止手段）
２２ａ  取付け片
２２ｂ  係止片
２２ｃ  下端部受入間隙
２３  中間部挟持金具（中間部係止手段）
２３ａ  取付け片
２３ｂ  受け板片
２３ｃ  挟持間隙
２３ｄ  係止片
２４  上端部内止挟持金具（上端部内止手段）
２４ａ  取付け片
２４ｂ  受け板片
２４ｃ  挟持間隙
２４ｄ  係止片
３  中間部係止片（中間部係止手段）
３ａ  中間部差込間隙
３ｂ  中間部受入間隙
３０  突出片
４ａ  上端部差込間隙
５  上端部外止金具（上端部外止手段）
５ａ  取付け片
５ｂ  差込片
５ｃ  当接片
６  上端部内止係止片（上端部内止手段）
６ａ  上端部受入間隙
６０  突出片
７０  上面挟持板
７０ａ  嵌合凹部
７１  下面挟持板
７１ａ  延長フランジ部
７１ｂ  嵌合凸部
７５  上面挟持板
７６  下面挟持板
７６ａ  延長フランジ部
８  上端部係止金具
８ａ  受入間隙
８０  係止片
８１  取付け片
９  架台
【図１】
0005540045.tif 000002
【図２】
0005540045.tif 000003
【図３】
0005540045.tif 000004
【図４】
0005540045.tif 000005
【図５】
0005540045.tif 000006
【図６】
0005540045.tif 000007
【図７】
0005540045.tif 000008
【図８】
0005540045.tif 000009
【図９】
0005540045.tif 000010
【図１０】
0005540045.tif 000011
【図１１】
0005540045.tif 000012
【図１２】
0005540045.tif 000013
【図１３】
0005540045.tif 000014
【図１４】
0005540045.tif 000015
【図１５】
0005540045.tif 000016
【図１６】
0005540045.tif 000017
【図１７】
0005540045.tif 000018
【図１８】
0005540045.tif 000019
【図１９】
0005540045.tif 000020
【図２０】
0005540045.tif 000021
【図２１】
0005540045.tif 000022
【図２２】
0005540045.tif 000023
【図２３】
0005540045.tif 000024
【図２４】
0005540045.tif 000025
【図２５】
0005540045.tif 000026
【図２６】
0005540045.tif 000027
【図２７】
0005540045.tif 000028
【図２８】
0005540045.tif 000029
【図２９】
0005540045.tif 000030
【図３０】
0005540045.tif 000031
【図３１】
0005540045.tif 000032
【図３２】
0005540045.tif 000033
【図３３】
0005540045.tif 000034
【図３４】
0005540045.tif 000035
【図３５】
0005540045.tif 000036
【図３６】
0005540045.tif 000037
【図３７】
0005540045.tif 000038
【図３８】
0005540045.tif 000039
【図３９】
0005540045.tif 000040
【図４０】
0005540045.tif 000041
【図４１】
0005540045.tif 000042
【図４２】
0005540045.tif 000043
【図４３】
0005540045.tif 000044
【図４４】
0005540045.tif 000045